Podtech/llm-jp-corpus-v4-ja_patent huggingface dataset:
(57)【要約】【課題】  「セラミック」の面に「七宝」を施す方法を提供する。【解決手段】「セラミック」の面に銀粘土をペースト状に溶いて、下絵を描き、乾燥後に電気炉で、「銀粘土」の焼成温度で焼成し、金属の膜を作る。その上に「七宝絵の具」を盛り付けて、電気炉で従来の「七宝」の焼成温度と同じ、７５０度から８００度で焼成すると「七宝」が剥がれにくくなることを特徴とする。下絵の輪郭を「シリンジ」状の筒に入った「銀粘土」で描くと、「有線七宝」のように、輪郭のはっきりした作品を作ることが出来て、「七宝」、も尚剥がれにくくなる。【特許請求の範囲】
【請求項１】
セラミックの面に、「銀粘土」を塗布して銀の下地を作り、盛り付ける七宝技法。
【発明の詳細な説明】
【技術分野】この発明は、「セラミック」に「七宝」を施す技法である。
【背景技術】従来、「セラミック」に「七宝」を施すと、七宝が剥離しやすいため、なかなか使用に耐えかねるものであった。
【発明の開示】
【発明が解決しようとする課題】  従来、七宝は金属の表面に「七宝絵の具」を施すことが多いが、これは「セラミック」の表面に「七宝」を施すことが出来るようにしたものである。
【発明を解決するための手段】
「セラミック」の表面に、金属の面を作れば、金属の表面に七宝を施すのと同じ条件になるので、七宝絵の具が剥がれるのを防ぐことが出来、従来の七宝製品とは違った趣の製品が出来る。
【発明を実施するための技法】
以下、本発明を実施するための技法を説明する。
「セラミック」の表面に、銀粘土をペースト状にして下絵を描き、乾燥後、電気炉で、焼成して金属の面を作る。焼成の温度は、銀粘土の焼成温度により適当な温度で焼成するものとする。「金属の下地」が出来たならば、従来の「七宝」の製作方法と同じように「七宝絵の具」を施せばよい。「銀粘土」が  「シリンジ」状の筒に入った「銀粘土」を使えば、作品の下絵の輪郭を描けて、「有線七宝」のようになり「七宝絵の具」が尚定着してよい。
【図面の簡単な説明】
【図１】    本発明の断面図である。
【符号の説明】
１  セラミック製品
２  銀粘土の下地
３  七宝絵の具
４  シリンジ状の筒に入った銀粘土
【図１】
2007131506.tif 000002
(57)【要約】      （修正有）【課題】食事、生活行動及び医薬品による治療を通じて、肥満を軽減あるいは防止するために、動物と人体に対して副作用がない体重を減少させるのに有効な医薬品製剤における神経成長因子（NGF）を用いた医薬品を提供する。【解決手段】神経成長因子（NGF）を配合した注射剤又は点鼻剤であり、注射剤としては溶液注射剤、懸濁注射剤、乳液性注射剤、注射用凍結乾燥粉末剤、注射用無菌粉末剤があり、又点鼻剤には、鼻噴霧剤、鼻滴剤、鼻用溶液、鼻用パップ剤、鼻用エアロゾル製剤がある。【選択図】なし【特許請求の範囲】
【請求項１】
効果的に体重を減らすことができる医薬品中に神経成長因子（NGF）を適用する方法。
【請求項２】
請求項1に記載の使用であって、前記医薬品が、注射剤、又は、点鼻剤であることを特徴とする方法。
【請求項３】
請求項2に記載の医薬品であって、前記注射剤が、溶液注射剤、懸濁液注射剤、乳液性注射剤、注射用凍結乾製粉末剤、注射用無菌粉末剤を含むことを特徴とする医薬品。
【請求項４】
請求項2に記載の医薬品であって、前記点鼻剤が、鼻噴霧剤、鼻滴剤、鼻用溶液、鼻用パップ剤、及び鼻用エアロゾル製剤を含むことを特徴とする医薬品。
【発明の詳細な説明】
【技術分野】
【０００１】
本発明は体重を減少させるのに有効な医薬品製剤における神経成長因子（NGF）の使用に関係する。
【技術背景】
【０００２】
体重は食品の摂取とエネルギーの消費とのバランスにより決定する。遺伝形質等の要素も関係するけれども、体重の増加あるいは肥満の原因として考えられる最大の理由は、食物によりエネルギーを取り過ぎること、及び/又は、身体のエネルギー消費が減少することである。体重過多又は肥満により、余分な脂肪が体に蓄積し、高血圧、高血脂、インシュリン依存型糖尿病、冠状動脈性硬化症、睡眠時呼吸停止症などの循環器系と呼吸器系の疾病の発病率が増加する。
【０００３】
食事、生活行動及び医薬品による治療を通じて、部分的に肥満を軽減あるいは防止することができる。通常使用される物質は、腸管内の食物から脂肪の吸収を抑制するオーリスタット、ノルエピネフリンとセロトニンの再摂取を抑えて食欲を減退させるシブトラミン、及び、セロトニンを放出し、その後、セロトニンの再摂取を抑えて、食欲を抑えるフェンフルラミンがある。しかし、これらの薬物は、軽い程度から深刻な程度までの副作用がある。例えば、フェンフルラミンは臨床試験において著しく心臓血管に障害を及ぼすことが明らかとなり、1999年に米国FDAにより市場から排除された。その他のダイエット薬物の副作用は頭痛、心悸、失眠、下痢、腸の痙攣と高血圧などがある。副作用以外では、アンフェタミンに代表されるように、多くのダイエット薬品は中毒を起こす可能性を持つ。
【０００４】
神経成長因子（NGF）はイタリアの胚胎発学者Rita Levi-Montalciniと米国の化学学者Stanley Cohenが1953年にラットの腫瘍細胞の中で神経細胞調節因子の一種から発見した。その主な存在位置は堤神経細胞に支配される標的細胞で、例えば、中枢の神経膠質細胞、外周のシュワン細胞、骨格筋といくつかの腺体；成熟げっ歯類の顎下腺、牛の精液、蛇の毒、及び、ヒトの胎盤は豊富なNGFを含む。
【０００５】
50数年来、世界各国の学者はNGFに関する研究を絶えず行い、NGFが神経系へのダメージ及び免疫システムとその他のシステムに対して明らかな影響を持つことが発見された。そして、動物と人体に対して重篤な副作用があることは、未だ報告されていない。
【０００６】
現在、販売されているNGFを主要成分とする医薬品は、大部分が、手足の神経系損失、アルツハイマー、神経組織の移植、脳虚血、抹消神経炎等の治療に用いられている。しかし、NGFが肥満の治療に有効であるという報告は現在、なされていない。
【発明の開示】
【発明が解決しようとする課題】
【０００７】
本発明の目的は、効果的に体重を軽減させるために、NGFを用いた医薬品を提供することである。
【課題を解決するための手段】
【０００８】
上述の目的を実現するため、我々は、NGFを、効果的に体重を減らすための医薬品中に適用するという、方法を採用した。
【０００９】
NGFに対して行った研究では、NGFを投入してから2週間後のラットの体重は有意に増加することはなかった。そして、体重の増加の程度は、薬の投与量に依存していた。薬を投入してから4週間後に、このような体重が増加しないという現象は依然として続いていた。そのため、私達はこの発見対してさらに実験を行い、ついに当発明を完成した。
【発明の効果】
【００１０】
本発明の効果は、1)効果的に体重を軽減する。すなわち、現在あるダイエット医薬品と比較して、神経成長因子（NGF）は直接にラットの体重増加を抑制し、NGFの投与を停止した後でも、体重が戻らない。2)明らかな副作用がない。すなわち、現在あるダイエット医薬品と比較して、本発明の実験中に神経成長因子が明らかな副作用があることを発見していない、さらに、中毒性も認められなかった。従って、神経成長因子を利用して、効果的に体重を軽減することができる。この発明は、経済的見通しもあり、社会に貢献することができる。
【実施例１】
【００１１】
実施例1では、以下のようにNGFを注射液及び鼻用噴霧剤に調剤して、ラットに投与した。その後、ラットの体重増加を抑制する作用があることを調べるために体重観察を行った。
【００１２】
1、薬物
神経成長因子（NGF）の注射剤、鼻用噴霧剤(北京昭衍新薬研究開発センター提供)
2. 動物
ウインスターラット(軍事医学科学院実験動物センターから購入)、40匹、雄、標準試料を給餌した。
【００１３】
ラットに筋肉注射及び鼻用噴霧剤により、体重1キログラム当たり4000単位のNGFを投与した。対照群は正常に飼育した。投与時、および投与後、2週間、4週間、6週間、8週間、10週間、12週間および15週間後にラットの体重を測量した。
【表１】
2007131586.tif 000002
【表２】
2007131586.tif 000003
【実施例２】
【００１４】
実施例2では、以下のようにNGFを注射液及び鼻用噴霧剤に調剤して、ラットに投与した。その後、ラットの体重増加を抑制する作用があることを調べるために体重観察を行った。
【００１５】
1、薬物
神経成長因子（NGF）の注射剤、鼻用噴霧剤(北京昭衍新薬研究開発センター提供)
2. 動物
ウインスターラット(軍事医学科学院実験動物センターから購入)、40匹、雌、標準試料を給餌した。
【００１６】
ラットに筋肉注射及び鼻用噴霧剤により、体重1キログラム当たり4000単位のNGFを投与した。対照群は正常に飼育した。投与時、および投与後、2週間、4週間、6週間、8週間、10週間、12週間および15週間後にラットの体重を測量した。
【表３】
2007131586.tif 000004
【表４】
2007131586.tif 000005
【００１７】
本発明の神経成長因子（NGF）を含む注射液と鼻用噴霧剤は、ラットの体重の増加を抑制することができ、この効果は薬の投与量に依存していた。前期試験期間中に、ラットに明らかな副作用は見られなかった。回復期においても副作用は見られなかった。そのため神経成長因子（NGF）は、副作用を伴わずに、効果的に体重を軽減するために医薬品に用いることができる。
(57)【要約】【課題】従来の凍結抑制剤は、地球温暖化に伴う温室効果ガスの低減を考慮していないため問題があった。これは、製品、製造、運搬、散布稼働機械等からの温室効果ガスの低減が図られていない。【解決手段】産業廃棄物の木廃材から炭を作り海水を濃縮した濃縮海水を吸着、浸透させた本発明の凍結抑制剤において、産業廃棄物の木廃材を炭にすることで温室効果ガスの低減できる。また、炭に濃縮海水を吸着、浸透させるときに自然の太陽光、風を利用することでも温室効果ガスの低減ができる。さらに、本発明の凍結抑制剤は持続性が長いので散布回数を削減できることにより運搬、散布稼働機械等からの温室効果ガスの低減ができ、地球温暖化に伴う温室効果ガスを低減する凍上抑制剤を提供できる。【特許請求の範囲】
【請求項１】
産業廃棄物の木廃材を利用した炭に、海水を濃縮した濃縮海水を吸着、浸透させた凍結抑制剤。
【請求項２】
地球温暖化に伴う温室効果ガスの低減をすることを特徴とする請求項１記載の凍結抑制剤。
【発明の詳細な説明】
【技術分野】
【０００１】
本発明は、冬期道路における雪氷面の滑り防止等を図った凍結抑制剤等に関する。
【背景技術】
【０００２】
従来の冬期道路における雪氷面の滑り防止等の凍結抑制剤は、車社会の増大に伴い凍結抑制剤等の散布量が多くなるため、製品、製造、運搬、散布稼働機械等からの地球温暖化に伴う温室効果ガスの低減が図られていない。
【０００３】
【特許文献１】特開昭４９−４５２２７号公報
【特許文献２】特開平６−３１３１６５号公報
【発明の開示】
【発明が解決しようとする課題】
【０００４】
以上に述べた従来の凍結抑制剤等は、地球温暖化に伴う温室効果ガスの低減を考慮されていないものであった。
【０００５】
本発明は、このような従来の構成が有していた問題を解決しようとするものであり、凍結抑制剤等の使用について、地球温暖化に伴う温室効果ガスの低減することを目的とするものである。
【課題を解決するための手段】
【０００６】
本発明は、上記目的を達成するために産業廃棄物の木廃材を炭にし、その炭に海水を濃縮した濃縮海水を吸着、浸透させた凍結抑制剤である。
【０００７】
産業廃棄物の木廃材使用は、通常では焼却もしくは分解（腐敗）されます。しかし、本発明は木廃材を炭に変え材料とします。
【０００８】
本発明を製造するには、屋根下で太陽光が利用でき風通しのよい所で水槽に炭を入れ、海水は炭の上部がでる程度入れ自然乾燥をおこなえば炭に海水を吸着、浸透させることができる。
【０００９】
本発明の凍結抑制剤は、雪氷面上に散布された後、炭に吸着した濃縮海水は雪氷の接地面から溶かしはじめ窪みを作り溜まり、炭に浸透した濃縮海水はゆっくり流れ出て更に雪氷を溶かしながら窪み溜まるので雪氷面に凹凸でき滑り抵抗が増すことと持続性を長くすることもできる。また、炭が雪氷面上で車のタイヤ等で踏まれることで摩擦抵抗が増え滑り防止につながる。
【発明の効果】
【００１０】
上述したように本発明の凍結抑制剤は、地球温暖化に伴う温室効果ガスの低減することができ、環境に優しい凍結抑制剤を提供できる。
【００１１】
産業廃棄物の木廃材を炭にすることで、焼却もしくは分解（腐敗）から排出される温室効果ガスの約８０％を変異的に固体化で低減できる。
【００１２】
また、自然の太陽光、風等を利用することにより製造過程での温室効果ガスが低減できる。
【００１３】
本発明は、持続性が長く散布回数が削減でき運搬、散布稼働機械等からの排気ガスの温室効果ガスが低減できる。
【発明を実施するための最良の形態】
【００１４】
産業廃棄物の木廃材を炭に加工する場合は、木材破砕機で破砕をおこない、炭化装置等で炭を製造し、炭を目的使用サイズごとに分別し濃縮海水を吸着、浸透させる。
【００１５】
本発明を作るには、屋根下で太陽光が利用でき風通しのよい所で水槽に炭を入れ、海水は炭の上部がでる程度入れ自然乾燥させる行程を再度繰り替えし行えば海水濃度を濃くできる。また、動力等の使用では風力発電、木質バイオマス発電、太陽光発電等を利用し水分分離器にて濃縮海水を製造し、真空タンクにて炭に濃縮海水を吸着、浸透させることもできる。
(57)【要約】【課題】車載装備のカップホルダーは、主に丸形容器収納のものが多く、飲料用紙パックなどの角形容器やマグカップなどの異形容器を収納するには困難であった。本発明は、この課題を解消した。【解決手段】ソケット本体１の上部  枡２は角形容器を収納できるサイズとなっている。マグカップ収納には、枡２  本体の枠面３に切込み４が四方にあり、マグカップの取っ手が収納障害となるのを防いだ。また枡２の底部５には丸形容器も収納できるように丸形容器の径以上の底部穴６を開けた。ソケット本体１の下部  円筒７は既存カップホルダー９に装着（収納）されるサイズのものとした。上部  枡２と下部  円筒７は底部穴６と円筒の上部８の部分で接合されている。異形ソケット本体１は上部  枡２と下部  円筒７で構成されている。【選択図】図３
2007131287.tif 000002
【特許請求の範囲】
【請求項１】
車載されている丸形容器専用の既存カップホルダーに装着させ、丸形容器のみならず異形容器の収納もできるカップホルダー用のソケットである。
ソケットの容器収納部分は角形容器収納のため角形（枡）容器となり、枠面四方の切込みにより、マグカップの取っ手部分も収納できる。
ソケットの底面には丸形容器用の穴があり、既存カップホルダーに装着したままでも丸形容器を収納できる。
【発明の詳細な説明】
【技術分野】
【０００１】本発明は車載装備のカップホルダーが丸形容器収納専用であった場合、角形容器（飲料用紙パック等）や異形容器（マグカップ等）の収納ができない。  丸形容器の上部に角形・異形容器を収納できる部分を取付け、上下一体型のソケットとして既存カップホルダーに装着させることにより収納できるものとした。
【背景技術】
【０００２】丸形容器専用のカップホルダーでは角形容器（飲料用紙パック等）や異形容器（マグカップ等）の収納ができなかった。【０００３】
【特許文献１】
【特許文献２】
【非特許文献１】
【非特許文献２】
【発明の開示】
【発明が解決しようとする課題】
【０００４】車載装備のカップホルダーは、主に丸形容器収納のものが多く、飲料用紙パックなどの角形容器やマグカップなどの異形容器を収納するには困難であった。
本発明は、この課題を解消した。
【課題を解決するための手段】
【０００５】ソケット本体１の上部  枡２は角形容器を収納できるサイズとなっている。
マグカップ収納には、枡２  本体の枠面３に切込み４が四方にあり、マグカップの取っ手が収納障害となるのを防いだ。また枡２の底部５には丸形容器も収納できるように丸形容器の径以上の穴６を開けた。
ソケット本体１の下部  円筒７は既存カップホルダー９に装着（収納）されるサイズのものとした。
上部  枡２と下部  円筒７は底部穴６と円筒の上部８の部分で接合されている。ソケット本体１は上部  枡２と下部  円筒７で構成されている。
【発明の効果】
【０００６】カップホルダーには丸形容器のみを収納目的としたものが多く、異形容器に対しては利用できなかった。カップホルダーにソケット本体を装着するだけで既存カップホルダーの利用範囲を広めた。
【発明を実施するための最良の形態】
【０００７】（イ）ソケット本体１は上部  枡２と下部  円筒７で構成されている。
（ロ）上部  枡２は角形容器を収納できるサイズであり、マグカップの場合、取っ手が収納障害にならないように枡２本体の枠面３の四方に切込み４がある。丸形容器も収納できるように枡２の底部５には丸形容器の径以上の底部穴６を開けている。
（ハ）下部  円筒７は既存カップホルダー９に装着（収納）されるサイズのものとした。
【実施例】
【０００８】
【産業上の利用可能性】
【０００９】
【図面の簡単な説明】
【００１０】
【図１】ソケットの断面図である。
【図２】ソケットの上面図である。
【図３】ソケットの利用状況を示す全体図である。
【００１１】
【符号の説明】
１  ソケット本体
２  枡
３  枠面
４  切込み
５  底部
６  底部穴
７  円筒
８  上部
９  既存カップホルダー
【図１】
2007131287.tif 000003
【図２】
2007131287.tif 000004
【図３】
2007131287.tif 000005
(57)【要約】【課題】車庫に、ツバメが巣をかけた時、車が糞で汚れる。だから、巣の下に板を取り付けたり、車の上に紙をつけたり、シートを固定したりする。しかし、ツバメの糞が板からはみだしたり新聞紙が飛んでしまったり、シートの着脱や洗浄に手間がかかったりする。【解決手段】磁石付きのシートを車に固定する。そのシートに鳥の糞を受けるための新聞紙を固定する磁石と金属板をとりつける。【選択図】図１
2007131285.tif 000002
【特許請求の範囲】
【請求項１】
シートを固定するための磁石と汚れを受けるための紙を固定するための磁石を有することを特徴とするシート
【請求項２】
前記シートは、複数の磁石で磁石を引き付ける金属に固定し、またシートに鳥の糞などの汚れを受けるための紙を固定するための磁石を有することを特徴とする請求項１記載のシート
【発明の詳細な説明】
【技術分野】
【０００１】  この発明は、車等に鳥の糞等の汚れが付着するのを防止するためのシートに関する。
【背景技術】
【０００２】  ビルトインガレージ等にツバメ等が巣をかけた時、下に置いてある車や荷物等が糞等で汚れる。それを防止するために巣の下に板を取り付けたり、車や荷物等に新聞紙などをかぶせたり、シートを固定したりしている。
【発明の開示】
【発明が解決しようとする課題】
【０００３】  しかしながら、以上の技術によれば、鳥の糞等が板からはみ出したり、新聞紙が飛んでしまったり、シートの着脱や洗浄に手間がかかったりする。
そこで、この発明は、広い範囲をカバーし、着脱が容易で汚れた部分が交換できるシートを提供することを課題とする。
【課題を解決するための手段】
【０００４】  以上の課題を解決するために、第一発明は、シートを固定するための磁石と汚れを受けるための紙を固定するための磁石を有することを特徴とするシートである。
また、第二発明は、複数の磁石で磁石を引き付ける金属に固定し、またシートに鳥の糞などの汚れを受けるための紙を固定するための磁石を有することを特徴とするシートである。
【発明の効果】
【０００５】  第一発明、または第二発明によれば、広い範囲をカバーし着脱が容易で汚れた部分の紙を交換することができる。
【発明を実施するための最良の形態】
【０００６】  この発明の一実施形態を、図１に示す。
シートの外周には紐につながれた磁石が複数設けられている。また、シートの縁には交換用の紙を装着する磁石と金属板が複数設けられている。【０００７】「実施形態の効果」
この実施形態によれば、広範囲がカバーできるので、車や荷物等が汚れにくい。磁石に紐がついているので車の窓等を避けて装着することができる。シートを装着した後に新聞紙等の紙を装着できる。紙が汚れたら容易に交換ができる。紙をつけたままでシートをはずすことが容易にできる。
【図面の簡単な説明】
【０００８】
【図１】この発明の一実施形態を示す図である。
【符号の説明】
【０００９】▲Ａ▼：シートを車にはりつける磁石
▲Ｂ▼：新聞紙をシートにはりつける磁石
【図１】
2007131285.tif 000003
(57)【要約】【課題】配送毎に、配送物に記載した顧客データを読み取り、同時に経度、緯度、時刻を読み取る。前記データをデータベースに格納し演算処理することにより、地図へ住居表示を登録する装置及び配送経路をシミュレーションする装置を提供する。【解決手段】送信回路のデータ信号を受けて、住居表示の登録、配送経路のシミュレーションができる受信回路を付設した住居表示登録装置及び配送計画装置である。前記データ信号は、配送物に記載した顧客データをデータ読み取り装置で読み取り送信機から送信するものである。前記送信回路は、データ読み取り装置、ＧＰＳ、送信機を備え、データ読み取り装置とＧＰＳは送信機へリード線を介して接続したものである。前記受信回路は、受信機とデータベースとＣＰＵとディスプレイを備え、リード線を解して接続したものである。【選択図】    図１
2007131386.tif 000002
【特許請求の範囲】
【請求項１】
送信回路１のデータ信号１ａを受けて、住居表示の登録、配送経路のシミュレーションが
できる受信回路５を付設した住居表示登録装置及び配送計画装置。
【請求項２】
前記データ信号１ａは、配送物１３に記載した氏名、住居表示、電話番号などの配送先を
特定するデータ（以下、顧客データという）１２をデータ読み取り装置２で読み取り送信
機４から送信するものとする請求項１記載の住居表示登録装置及び配送計画装置。
【請求項３】
前記送信回路１は、データ読み取り装置２、全地球測位システム（以下、ＧＰＳという）
３、送信機４を備え、データ読み取り装置２とＧＰＳ３は送信機４へリード線１０を介し
て接続したものとする請求項１記載の住居表示登録装置及び配送計画装置。
【請求項４】
前記受信回路５は、受信機６と情報を多目的に使えるようにデータの蓄積構造、検索構造
を考慮して作られたデータファイル群（以下、データベースという）７と中央演算処理装
置（以下、ＣＰＵという）８とディスプレイ９を備え、リード線１０を介して接続したも
のとする請求項１記載の住居表示登録装置及び配送計画装置。
【発明の詳細な説明】
【技術分野】
【０００１】
本発明は、荷物配送に関するものである。
【背景技術】
【０００２】
荷物配送は、地図に記載された個人名と住居表示又は住居表示のみを手がかりに配送先
に届けられていた。
【発明の開示】
【発明が解決しようとする課題】
【０００３】
しかしながら、従前の地図に記載されていない新しい住居表示が設定される場合がある
。新規に土地を分筆し建物を建築した場合、建物毎に住居表示が設定される。また、建物
の敷地が複数の地番からなる場合、いずれかの地番で新しい住居表示が設定されるか、い
ずれの地番とも異なる新しい住居表示が設定される。
【０００４】
従前の地図では新しく設定された住居表示の記載はなく、配送毎に配送先を探さねばな
らず、配送作業の効率が悪いという欠点を持っていた。
【０００５】
本発明は、このような従来の問題を解決しようとするもので、配送毎のデータを集積す
ることにより新しい住居表示を地図上に表示し、かつ配送経路をシミュレーションする装
置を提供することを目的とするものである。
【０００６】
本発明は、配送毎に、配送物に記載した氏名、住居表示、電話番号などの配送先を特定
するデータ（以下、顧客データという）を読み取り、同時に経度、緯度、時刻を読み取る
。前記データをデータベースに格納しＣＰＵで演算処理することにより、地図へ住居表示
を登録する装置及び配送経路をシミュレーションする装置を提供することを目的とするも
のである。
【０００７】
本発明は送信回路のデータ信号を受けて、住居表示の登録、配送経路のシミュレーショ
ンができる受信回路を付設した住居表示登録装置及び配送計画装置を提供することにより
上記課題を解決したものである。前記データ信号は、配送物に記載した顧客データをデー
タ読み取り装置で読み取り送信機から送信するものである。前記送信回路は、データ読み
取り装置、ＧＰＳ、送信機を備え、データ読み取り装置とＧＰＳは送信機へリード線を介
して接続したものである。前記受信回路は、受信機とデータベースとＣＰＵとディスプレ
イを備え、リード線を介して接続したものである。
【発明の効果】
【０００８】
本発明によれば、配送毎の顧客データと緯度、経度を読み込み演算処理することにより
住居表示の登録が即時に地図に登録することが出来る。また、顧客データと緯度、経度、
時刻を読み込み演算処理することにより効率的な配送計画が出来る。
【実施例】
【０００９】
本発明の住居表示登録装置及び配送計画装置を図１に示す。送信回路１はデータ読み取
り装置２、全地球測位システムと送信機４を備え、データ読み取り装置２、全地球測位シ
ステムはリード線１０を介し送信機４へ接続される。１１は空中線、１ａはデータ信号で
ある。受信回路５は受信機６とデータベース７とＣＰＵ８とディスプレイ９を備え、リー
ド線１０を介して接続される。１２は顧客データ、１３は配送物である。
【００１０】
次に動作について説明する。配送した住居毎に配送物１３に印刷した顧客データ１２を
、データ読み取り装置２で読み取る。本実施例では、顧客データをバーコードに表示し、
バーコードリーダで顧客データを読み込んだ。同時にＧＰＳ３から緯度、経度、時刻のデ
ータを読み込む。送信機４から、前記データをデータ信号１ａとして受信回路５へ送信す
る。本実施例では一つの送信回路で構成したが、複数の送信回路でも構成できる。受信機
６で受信したデータ信号１ａをデータベース７へ格納する。データベース７へ格納したデ
ータ信号１ａをＣＰＵ８で演算処理し地図情報として変換することにより、ディスプレイ
９に地図を表示することが出来る。データベース７に格納された配送毎の顧客データと緯
度、経度をＣＰＵ８で演算処理することにより住居表示を地図に登録することが出来る。
また、顧客データと緯度、経度、時刻をＣＰＵ８で演算処理することにより効率的な配送
計画のシミュレーションが出来る。
【産業上の利用可能性】
【００１１】
上述の発明は、住居表示登録装置及び配送計画装置として利用可能である。
【図面の簡単な説明】
【００１２】
【図１】本発明にかかる住居表示登録装置及び配送計画装置の構成図である。
【符号の説明】
【００１３】
１・・・送信回路
１ａ・・・データ信号
２・・・データ読み取り装置
３・・・全地球測位システム
４・・・送信機
５・・・受信回路
６・・・受信機
７・・・情報を多目的に使えるようにデータの蓄積構造、検索構造を考慮して
作られたデータファイル群          
８・・・中央演算処理装置
９・・・ディスプレイ
１０・・・リード線
１１・・・空中線
（３）
１２・・・氏名、住居表示、電話番号などの配送先を特定するデータ
１３・・・配送物
【図１】
2007131386.tif 000003
(57)【要約】【課題】    従来のボトルは、口部が上面の中央にあるものであったがために、中の飲み物を、直接ボトルに口をつけて飲み干すためには、手にしたボトルを斜め上方に持ち上げ、顔を仰向かせなければならなかった。【解決手段】  本発明のボトルは、ボトルの口を片側へ片寄せたことによって、ボトルの口の外周部の一部と、ボトル胴部の外周部の一部が同一の線上につながったことにより、そのつながった両外周部を下になるように水平に保持するだけで、ボトル内の飲み物をすべて飲み干すことができる。【選択図】図１
2007131347.tif 000002
【特許請求の範囲】
【請求項１】
ボトルの口を外周の片側に寄せてなる丸型口片寄ボトル。
【請求項２】
ボトルの口を外周の片側に寄せてなる角型口片寄ボトル。
【請求項３】
ボトルの口の外周部の一部と、ボトル胴部の外周部の一部が同一の線上につながるように、ボトルの口を外周の片側に寄せてなる丸型および角型の口片寄ボトル。
【発明の詳細な説明】
【技術分野】
【０００１】  本発明はボトルに関する。
【背景技術】
【０００２】  従来のボトルは、口部が上面の中央にあるものであったがために、中の飲み物を、直接ボトルに口をつけて飲み干すためには、手にしたボトルを斜め上方に持ち上げ、顔を仰向かせなければならなかった。
【発明の開示】
【発明が解決しようとする課題】
【０００３】  本発明はこのような従来の構成が有していた問題を解決しようとするものであり、顔を仰向かせることなく、容易にボトル内の飲み物を飲み干せるようにすることを目的とするものである。
【課題を解決するための手段】
【０００４】  そして、本発明は上記目的を達成するために、ボトルの口部を頭部の片側に片寄せることによって、ボトルの底部を持ち上げなくとも、容易に中の飲み物を飲み干せることとなった。【０００５】  また、ボトルの形状に関りなく、丸型ボトルにおいては丸型頭部の片側に寄せてボトルの口を設ける。【０００６】  また、角型ボトルにおいても、角型頭部の片側に寄せて、ボトルの口を設けている。【０００７】  次いで又、これによって、ボトルの口の外周部の一部と、ボトル胴部の外周部の一部が同一の線上につながることとなる。
【発明の効果】
【０００８】  上述したように本発明のボトルは、ボトルの口を図１に示すように片側へ片寄せたことによって、ボトルの口の外周部の一部と、ボトル胴部の外周部の一部が同一の線上につながったことにより、図２に示すようにボトルのキャップをはずしてそのつながった両外周部を下になるように水平に保持すれば、ボトル内の溶液はすべて流出することができる。【０００９】  また、これによって、ボトル内の溶液をすべて外へ流出させるために、ボトルの底部をことさら斜めに持ち上げる必要がなくなったことになる。【００１０】    また、ボトルの底部を斜めに持ち上げる必要がなくなったことで、近年の風潮であるペットボトルの口をくわえて直飲みをする際に、飲み物を飲み干すのに顔を仰向かせる必要がなくなった。
【発明を実施するための最良の形態】
【００１１】  以下、本発明の実施の形態を図１〜図２に基づいて説明する。【００１２】  図において、１は丸型口片寄ボトル、２は角型口片寄ボトル、３は口部、４キャップ、５は口片寄ボトル、６は従来ボトル、７は口部、８は内容液。【００１３】  ９は口片寄ボトル、１０は従来ボトル、１１は口部、１２は内容液である。
【図面の簡単な説明】
【００１４】
【図１】  本発明の実施形態を示す外形図。
【図２】  本発明の実施時の縦断面図。
【図３】  本発明の実施時および従来例の形態図。
【図１】
2007131347.tif 000003
【図２】
2007131347.tif 000004
【図３】
2007131347.tif 000005
(57)【要約】      （修正有）【課題】従来のＰＥＴボトル入りの酸素水はあるが酸素の脱気が早いため短期間の流通、消費が必要だった。従来の給水機はボトル内部に使用した分、外部からの空気が入るため空気中の細菌が内部で繁殖し異臭など非衛生的なために短期間の消費が必要だった。【解決手段】圧縮機またはボンベにて空気及び酸素注入槽１１に送り込み飲用直前に飲料水に溶存させることができる。また飽和空気、酸素を受水槽２に送り受水槽内の空気層１０に一定の陽圧力を保つために、空気中の細菌が入ることができない構造である。ボトル入りの場合受水槽内の空気１０が飲料水９の使用した分、受水槽内の無菌の空気が入るために。ボトル内部が長期間において衛生的である。【選択図】図１
2007131349.tif 000002
【特許請求の範囲】
【請求項１】
市販のボトル入り飲料水及び水道水に無菌の空気及び酸素を圧縮機又はボンベで飲料水に注入することができる給水機
【請求項２】
ボトル内部の空気層に雑菌が混入しないよう濾過機を通した無菌の空気又は酸素を飲料水に注入し、余剰の空気及び酸素をボトル内部に送り雑菌の侵入防止、浄化できる冷、温給水機
【発明の詳細な説明】
【発明の詳細な説明】
この発明は市販の飲料水及び水道水に空気又は酸素を飲用直前に飲料水に注入し溶存空気、酸素を含んだ飲料水をつくる給水機である。
また余剰の空気及び酸素をボトル内の空気層に送るため外気中の雑菌の浸入を阻止できる衛生的、かつ高品位の飲料水をつくることができる給水機である。
従来の給水機は飲料水を使用した際その分、外部の空気がボトル内に入り空気中の浮遊菌がボトル内部で繁殖し臭気など品質の低下を発生させるため、短期間の使用が必要だった。
【図面の簡単な説明】
【図１】本発明のボトル入り給水機の基本略図
【図２】本発明の水道水直結給水機の基本略図
【符号の説明】
１は容器  ２は受水槽  ３は圧縮機、ボンベ  ４は空気注入冷水タンク  ５は温水タンク  ６は冷水注出口  ７は温水注出口  ８は容器内の空気層  ９は飲料水  １０は余剰空気  １１は空気及び酸素注入槽  １２は水道水接続口  １３は空気抜き逆止弁
【図１】
2007131349.tif 000003
【図２】
2007131349.tif 000004
(57)【要約】【課題】自動車の助手席にいる人は、運動不足となり足に血が下がり疲労を感じ足を高い所にのせたくなる。しかし、前には高過ぎるダッシュボードがあり不便であった。【解決手段】助手席前のダッシュボード１を上下にスライドできるようにする。助手席の人が疲れたときは、ダッシュボード１を下げその上に足をのせられるようにする。【選択図】  図２
2007131013.tif 000002
【特許請求の範囲】
【請求項１】
自動車助手席側のダッシュボードを運転席側のものと切り離し、助手席側ダッシュボードにスライドレールを設け、ダッシュボード自体を上下に移動させるとともに、ダッシュボードに設けたレバーにより固定ピンを操作し、ダッシュボードを任意の位置で固定するところを特徴とする可動式ダッシュボード
【発明の詳細な説明】
【０００１】
【発明の属する技術分野】
本発明は、自動車の助手席側ダッシュボードを運転席側と分離し、助手席側ダッシュボードを上下にスライドできるようにしたものである。
【０００２】
【従来の技術】
従来、助手席に座る人は室内前方に固定ダッシュボードがあり、足を伸ばすことができなく、長旅は非常に疲れるものであった。
【０００３】
【発明が解決しようとする課題】
本発明は、従来助手席に座る人は前面に固定ダッシュボードがあるため、足を伸ばすことができる自由度が少ない問題点があった。
【０００４】
【課題を解決するための手段】
上記の問題点を解決するために、本発明は、助手席側ダッシュボードを運転席側から切り離し、ダッシュボード自体を上下にスライドできるようにすることにより、助手席に座った人は下げたダッシュボードに足をのせることができ、より足を伸ばす自由度が多くなり快適なドライブを楽しむことができ、便利である。
【０００５】
【発明の実施の形態】
本発明は、自動車の助手席側のダッシュボードを運転席側のダッシュボードから切り離し、助手席側ダッシュボードを上下に移動するためにスライドレールを取り付けたものである。
【０００６】
上記スライドレールには、ダッシュボードの移動速度を制御する速度調整歯車を設けるとともに、ダッシュボードを任意の高さで固定できるようにピンホールを設ける。
【０００７】
また、ダッシュボードにレバーを設けレバーを引くことにより固定ピンをピンホールから外しダッシュボードを動かす。
【０００８】
【実施例】
実施例について図面を参照して説明すると、図１において、助手席側ダッシュボード１の両側にスライドレール３を設け、ダッシュボード１を上下に移動させる。スライドレールに沿う機構については、図３において、ダッシュボード１に設置してある操作レバーを引いて、固定ピン５をピンホール４より外し、移動可能とする、また、ダッシュボード１に速度調整用歯車６を取り付け、ダッシュボード１の移動速度を緩やかになるようにする。
【０００９】
【発明の効果】
上述のように、本発明の可動式ダッシュボードは、自動車助手席前のダッシュボードの高さを、任意に可動できることにより、その上に足を乗せられ、快適なドライブを楽しむことができる。
【図面の簡単な説明】
【図１】通常状態の自動車車室前方部を示す斜視説明図である。
【図２】助手席側ダッシュボードを下げたときの斜視説明図である。
【図３】第１図中の矢示Ｉ−Ｉ線に沿う拡大説明図である。
【符号の説明】
１  助手席側ダッシュボード
２  操作レバー
３  スライドレール
４  ピンホール
５  固定ピン
６  速度調整用歯車
【図１】
2007131013.tif 000003
【図２】
2007131013.tif 000004
【図３】
2007131013.tif 000005
(57)【要約】      （修正有）【課題】車輪やレールを不要としてフィーダ本体の設置精度を緩和することができると共に、材料投入ホッパからばら物がこぼれても作動に支障がなく、保守性が良好なレシプロ式フィーダを提供する。【解決手段】前後へ往復動可能なフィーダ本体１を、往復動方向へ所定の間隔を隔てて複数の吊ロッド１３により吊下げる。材料投入ホッパ１０の左右両側には、前後に所定の間隔をおいて複数の支持座１１が設けられ、支持座１１の下面に設けたブラケット１２には、縦向きに下方へ延在する吊ロッド１３が、フィーダ本体１の幅方向へ水平に延びるピン１４を介して枢支され、吊ロッド１３の下端は、フィーダ本体１の下面に固設したブラケット１５にピン１４と平行なピン１６を介して枢支されている。【選択図】図１
2007131435.tif 000002
【特許請求の範囲】
【請求項１】
前後へ往復動可能なフィーダ本体を、往復動方向へ所定の間隔を隔てて複数の吊ロッドにより吊下げたことを特徴とするレシプロ式フィーダ。
【発明の詳細な説明】
【技術分野】
【０００１】
本発明はレシプロ式フィーダに関する。
【背景技術】
【０００２】
石灰石等のばら物の定量供給には従来からレシプロ式フィーダが使用されており、斯かるレシプロ式フィーダの一例は図３に示されている。図３ではフィーダ本体１は、複数の車輪２を介して枠体３上のレール４に支持されている。又、フィーダ本体１の後方にはモータ５が配置され、モータ出力軸に取り付けたシーブ６と中間シーブ７とには、無端状のベルト８が巻き掛けられている。更に、中間シーブ７の外周部近傍に枢支したリンク９の先端は、フィーダ本体１後端に枢支されている。図中、１０はフィーダ本体１の上方に配置された材料投入ホッパであり、材料投入ホッパ１０は図示してない枠体に設置され、支持されている。
【０００３】
運転時には、モータ５が駆動されることにより、シーブ６、ベルト８を介して中間シーブ７が回動し、このため、リンク９は、中間シーブ７と共に回転しつつ長手方向へ往復動し、フィーダ本体１はレール４上を転動する車輪２を介して矢印Ａに示すように前後へ往復動する。このため、材料投入ホッパ１０から切出されたばら物は、フィーダ本体１により定量供給される。
【０００４】
レシプロ式フィーダの先行技術文献としては、特許文献１がある。特許文献１では、レシプロ式フィーダは、分級装置本体に据付け固定された台座部と、該台座部上に複数個の車輪を介在させて前後方向へ往復動自在に支持された受け皿と、受け皿を前後方向へ往復動させる駆動機構を備えている。
【特許文献１】特開２００１−３８２９２号公報
【発明の開示】
【発明が解決しようとする課題】
【０００５】
図３に示すレシプロ式フィーダでは、レール４の材料投入ホッパ１０に対する設置精度を正確にしないと、フィーダ本体１の材料投入ホッパ１０に対する設置精度が低下し、材料投入ホッパ１０から投入されたばら物がレール４上にこぼれたりして、車輪２がレール４上を転動する際に抵抗となり、作動がスムーズに行なわれない虞があり、又、ばら物がレール４上やその周囲にこぼれるため、清掃を行なう必要があるが、車輪２やレール４があるため接近が困難で清掃がやり難く、保守性が悪い。
【０００６】
特許文献１に示すレシプロ式フィーダも、レール部及びレール部を転動する車輪を備えているため、図３に示すレシプロ式フィーダと同様な問題がある。
【０００７】
本発明は、上記実情に鑑み、車輪やレールを不要としてフィーダ本体の設置精度を緩和することができると共に、材料投入ホッパからばら物がこぼれても作動に支障がなく、保守性が良好なレシプロ式フィーダを提供することを目的としてなしたものである。
【課題を解決するための手段】
【０００８】
本発明のレシプロ式フィーダは、前後へ往復動可能なフィーダ本体を、往復動方向へ所定の間隔を隔てて複数の吊ロッドにより吊下げたものである。
【発明の効果】
【０００９】
本発明のレシプロ式フィーダによれば、車輪やレールが不要となってフィーダ本体の設置精度が緩和されると共に、材料投入ホッパからばら物がこぼれてもフィーダ本体の下面近傍にたまることがなく、従って、フィーダ本体の往復動に支障が生じることがなく、又、フィーダ本体周りのばら物の除去が不要であるため、保守性が良好である、等種々の優れた効果を奏し得る。
【発明を実施するための最良の形態】
【００１０】
以下、本発明の実施の形態を添付図面を参照して説明する。
図１、図２は本発明を実施する形態の一例であって、図中、図３と同一の符号を付した部分は同一のものを表わしている。而して、本図示例の特徴とするところは、フィーダ本体１をペンデュランサポートにより吊下げ支持し得るようにして、車輪や車輪が転動するレールを不要とした点である。
【００１１】
すなわち、材料投入ホッパ１０の左右両側には、前後に所定の間隔をおいて複数の支持座１１が設けられ、支持座１１の下面に設けたブラケット１２には、縦向きに下方へ延在する吊ロッド１３が、フィーダ本体１の幅方向へ水平に延びるピン１４を介し枢支され、吊ロッド１３の下端は、フィーダ本体１の下面に固設したブラケット１５にピン１４と平行なピン１６を介して枢支されている。而して、各吊ロッド１３は長さが等しく、ブラケット１２、ピン１４、吊ロッド１３、ピン１６、ブラケット１５によりペンデュランサポートが構成されている。
【００１２】
次に、上記した実施の形態の作動を説明する。
運転時にはモータ５が駆動されることにより、シーブ６、ベルト８を介して中間シーブ７が回動し、このため、リンク９は中間シーブ７と共に回動しつつ長手方向へ往復動する。従って、フィーダ本体１は上方のピン１４を支点として揺動する吊ロッド１３に支持された状態で矢印Ａに示すように前後へ往復動する。このため、材料投入ホッパ１０から切出されたばら物は、フィーダ本体１により定量供給される。フィーダ本体１の往復動の際、前後の吊ロッド１３は平行状態を保持して揺動する。
【００１３】
本図示例によれば、車輪やレールが不要となるためフィーダ本体１の設置精度が緩和されると共に、材料投入ホッパ１０からばら物がこぼれてもフィーダ本体１の下面近傍にたまることがなく、従って、フィーダ本体１の往復動に支障が生じることがなく、又、フィーダ本体１周りのばら物の除去が不要であるため、保守性が良好である。
【００１４】
なお、本発明のレシプロ式フィーダは、上記した実施の形態に限定されるものではなく、本発明の要旨を逸脱しない範囲内において種々変更を加え得ることは勿論である。
【図面の簡単な説明】
【００１５】
【図１】本発明のレシプロ式フィーダの概略側面図である。
【図２】図１のＩＩ−ＩＩ方向矢視図である。
【図３】従来のレシプロ式フィーダの概略側面図である。
【符号の説明】
【００１６】
１  フィーダ本体
１３  吊ロッド
【図１】
2007131435.tif 000003
【図２】
2007131435.tif 000004
【図３】
2007131435.tif 000005
(57)【要約】【課題】ドラム缶等の円筒体を転がして移動させる為の省力化器具として、円筒体転がし器を提供する。【解決手段】転がして移動させようとするドラム缶等、円筒体の胴に掛ける環状ベルト（１）の環にプーリー（２）が掛かり、プーリー軸（３）には牽引具として取手（５）が結合された事を特徴とする円筒体転がし器による。【選択図】図１
2007131452.tif 000002
【特許請求の範囲】
【請求項１】
転がして移動させようとする円筒体の胴に掛ける、任意な断面形状であり、使用状態において環状であるベルトと、前記ベルトの環の内側に掛かるプーリーと、前記プーリーが回転出来るように前記プーリーに結合された牽引具から成る、円筒体転がし器。
【発明の詳細な説明】
【技術分野】
【０００１】本発明は、ドラム缶等の円筒体を転がして移動させる円筒体転がし器に関するものである。
【背景技術】
【０００２】例えば野外でドラム缶等を一時的に貯蔵する場合、定められた貯蔵場所に集積される。又、雨水等の浸入を防ぐ為横倒しである場合が多い。【０００３】使用場所までの比較的近距離の移動等は、そのまま転がして移動させる事が一般的である。【０００４】機械、器具を用いずに移動させる事も多いが、円筒体を転がし任意な位置に移動させる為の従来の機械、器具に関する公知技術として次の特許文献１〜７を挙げる。
【特許文献１】特開平９−２４０８１７号公報
【特許文献２】特開平８−３２４７３１号公報
【特許文献３】特開平７−５３０２０号公報
【特許文献４】特公平０２−０１９０４５号公報
【特許文献５】実開平０３−０４９２０８号公報
【特許文献６】実開昭６２−０４１７０７号公報
【特許文献７】実開昭５９−０３３８１０号公報
【発明の開示】
【発明が解決しようとする課題】
【０００５】機械、器具を用いずに転がし、移動させようとした場合、特に不整地や、ぬかるんだ地面、緩い上がり勾配では、ドラム缶等に手をつき転がす姿勢が前かがみであり、手により自分の体重も支える事となる為、連続的、効果的に力を加える事が出来ず重労働である。又、下り勾配では制動しづらく危険であり腰を痛める原因にもなる。【０００６】従来の機械、器具を用い転がし、移動させようとした場合、電源、圧縮空気源等、動力源を必要とする。機械、器具は重く、大きく、携帯しづらい。
又、不整地やぬかるんだ地面等では使用出来ない。
【課題を解決するための手段】
【０００７】転がして移動させようとする円筒体の胴に掛ける、任意な断面形状であり、使用状態において環状であるベルトと、前記ベルトの環の内側に掛かるプーリーと、前記プーリーが回転出来るように前記プーリーに結合された牽引具から成る、円筒体転がし器による。
【発明の効果】
【０００８】ドラム缶等を転がし、移動させる為に楽な姿勢で連続的、効果的に力を加えられ労力を軽減出来る。又、制動し易く安全である。【０００９】動力源を必要とせず、不整地やぬかるんだ地面等、本来必要となる場所で効果的に使用出来る。【００１０】小型軽量である為、携帯し易い。【００１１】構造を簡素化でき故障要因を減らせる。
【発明を実施するための最良の形態】
【００１２】転がして移動させようとする円筒体の胴に掛ける平型断面の環状ベルト（１）の環に環状ベルト外れ防止フランジを両端部に形成するプーリー（２）が掛かり、プーリー軸（３）には環状ベルト外れ防止カバー（４）を介して牽引具として取手（５）が結合した円筒体転がし器である。【００１３】転がして移動させようとする円筒体の胴に環状ベルト（１）を掛け、取手（５）を進行方向に引っ張る事により転がし、反対方向に取手（５）を引く事により制動させる。【００１４】進行方向に対し斜めに引っ張る事により、環状ベルト（１）の円筒体に掛かる位置を軸方向に移動させる。片側に移動させた状態で瞬間的に力を加える事により進行方向の修正、変更をさせる。
【図面の簡単な説明】
【００１５】
【図１】本発明と、その使用状態の側面図である。
【図２】図１、Ａ−Ａ線の断面図である。
【符号の説明】
【００１６】１  環状ベルト
２  プーリー
３  プーリー軸
４  環状ベルト外れ防止カバー
５  取手
【図１】
2007131452.tif 000003
【図２】
2007131452.tif 000004
(57)【要約】      （修正有）【課題】このモーターは従来のモーターと違い永久磁石を多く利用し消費電力を少なく抑えるものである。【解決手段】永久磁石とアルミを何枚も交互に並べてロータを作成する。この時に図のように１００〜２００〜３００ガウスというように徐々に強力になるように並べる。ローターの外周に電磁石Ｘを配置してモーターとする。電磁石への通電は、２４００から１００ガウスの範囲にセットし、２４００ガウス部と電磁石Ｘが合った時、電磁石にはＳ極が発生しロータのＳ極と反発し回転する。【選択図】図４
2007221842.tif 000002
【特許請求の範囲】
【請求項１】
図面Ａの１図の形状のアルミと２図の形状の磁石を交互に合わせ、図３のように並べたローターを作ります。
【請求項２】
図面Ｂの４図のローターの磁石に書いてある数字は磁石のガウスです。たとえば数字の１００は１００ガウス、次の２００は２００ガウスというように徐々に強力な磁石を並べます。
【請求項３】
図面Ｂの５図のようにローターの外周には複数の電磁石を配置します。
以上のごとく構成されたモーターです。
【発明の詳細な説明】
発明の詳細な説明
このモーターは１回転（３６０度）中、電磁石１極あたりおよそ２０〜３０度の間通電すれば後はローターの永久磁石の力によって回転を続けるものであります。１図の形状のアルミと２図の形状の磁石を交互に何枚も並べて３図のローターを作ります。４図のローターに書いてある数字は、磁石の強弱のガウスです。例えば、１００〜２００〜３００ガウスというように徐々に強力になるように並べます。そして４図のようにローター外周に電磁石Ｘを配置します。尚、この図面での回転は、右回転Ｈです。また電磁石への通電は、４図の２４００〜１００ガウスの範囲にスイッチをセットします。例えば右回転してきたローターの２４００ガウス部と電磁石Ｘと合った時、電磁石Ｘに通電されＸにはＳ極が発生し、ローターのＳ極と反発し、矢印Ｈにまわります。そして、１００ガウスのあたりでスイッチが切れ電磁石のＳ極も消えます。Ｓ極の消えた後は電磁石の鉄芯にローターの磁石が反応し徐々に強力な部位が引き込まれＨに回転を続けます。以上が１回転の工程です。尚、５図のように電磁石の数を増やすことによってより強力なトルクと回転を得ることができます。
【図面の簡単な説明】
【図１】アルミプレート
【図２】磁石プレート
【図３】ローター斜視図
【図４】上面作動図
【図５】上面全体図（Ｈ）回転方向（Ｘ）電磁石（Ｓ）Ｓ極（Ｎ）Ｎ極（Ｏ）鉄芯（４図上の数字）磁石のガウス
【図４】
2007221842.tif 000003
【図５】
2007221842.tif 000004
【図１】
2007221842.tif 000005
【図２】
2007221842.tif 000006
【図３】
2007221842.tif 000007